(57)【要約】【課題】抽象的なインターフェースを有し、操作性が簡便な電気機器のコントローラおよびホームコントロールシステムの提供。【解決手段】リモコンから出力される操作信号を読み取る操作信号読取装置と、ＩＣリーダ／ライタと、電気機器に操作信号を送信する操作信号送信装置と、記憶装置を有する処理部と、操作部とを備え、室内に設置されたリモコンで制御される電気機器をＩＣチップにより動作制御するコントローラであって、ＩＣチップの書き込み可能領域に格納された電気機器の制御パラメータをＩＣリーダ／ライタで読み書き可能であること、および、ＩＣチップから読み込んだ制御パラメータに基づき操作信号送信装置より各電気機器に操作信号を送信する電気機器のコントローラおよびホームコントロールシステム。【選択図】図１
2013115810.tif 000002
【特許請求の範囲】
【請求項１】
リモコンから出力される操作信号を読み取る操作信号読取装置と、ＩＣリーダ／ライタと、電気機器に操作信号を送信する操作信号送信装置と、記憶装置を有する処理部と、操作部とを備え、室内に設置されたリモコンで制御される電気機器をＩＣチップにより動作制御するコントローラであって、
ＩＣチップの書き込み可能領域に格納された電気機器の制御パラメータをＩＣリーダ／ライタで読み書き可能であること、および、ＩＣチップから読み込んだ制御パラメータに基づき操作信号送信装置より各電気機器に操作信号を送信することを特徴とする電気機器のコントローラ。
【請求項２】
ＩＣチップの書き込み可能領域または処理部の記憶装置に入退室ステータスを記憶する手段を有し、
ＩＣリーダ／ライタがＩＣチップ記憶情報を読み取った際に、前記入退室ステータスが入室である場合は、ＩＣチップに記憶されたパラメータに基づき、操作信号送信装置より各電気機器に動作開始信号を送信し、前記入退室ステータスが退室である場合は、ＩＣチップの書き込み可能領域に最新の制御パラメータを書き込むと共に、操作信号送信装置より各電気機器に動作停止信号を送信することを特徴とする請求項１の電気機器のコントローラ。
【請求項３】
前記リモコンが、赤外線リモコンであることを特徴とする請求項１または２のコントローラ。
【請求項４】
前記操作信号送信装置をコントローラ本体から離脱し、ユニバーサルリモコンとして使用可能であることを特徴とする請求項１ないし３のいずれかのコントローラ。
【請求項５】
前記コントローラが、一定時間経過後に各電気機器に操作信号を送信するタイマー手段を備えることを特徴とする請求項１ないし４のいずれかのコントローラ。
【請求項６】
請求項１ないし５のいずれかのコントローラと、書き込み可能領域を有する複数のＩＣチップと、を備え、
前記ＩＣリーダ／ライタによりＩＣチップの書き込み可能領域に格納された電気機器の制御パラメータを書き換えることを特徴とするホームコントロールシステム。
【請求項７】
さらに、対応する電気機器のパラメータ情報を取得する操作信号取得部および無線送信部を有するインターフェース機器を複数備え、
前記コントローラは、インターフェース機器と通信可能な無線通信装置を備え、インターフェース機器の操作信号取得部が取得したパラメータ情報を処理部の記憶装置に記憶することを特徴とする請求項６のホームコントロールシステム。
【請求項８】
前記インターフェース機器の操作信号取得部が、電気機器の操作信号を受信する赤外線受信器を含んで構成され、該赤外線受信器が操作信号受信した際に、無線送信部を介して受信した操作信号を前記コントローラに送信することを特徴とする請求項７のホームコントロールシステム。
【発明の詳細な説明】
【技術分野】
【０００１】
本発明は、電気機器のコントローラおよびホームコントロールシステムに関し、より詳細には、抽象的なインターフェースを有し、汎用的なＩＣチップを利用することができる電気機器のコントローラおよびホームコントロールシステムに関する。
【背景技術】
【０００２】
従来、ホームコントローラと呼ばれる制御装置を住戸内に配設し、ホームコントローラとテレビ、ビデオ、エアコン、給湯器などの制御対象機器を電気的に接続し、制御するホームコントロールシステムが知られている。
ホームコントロールシステムにおいては、外出先から制御対象機器を遠隔制御することも提案されている。例えば、特許文献１では、インターネット網を介して制御データを受信するウェブサーバと、ウェブサーバから受信した制御データに基づき家庭用電気機器を制御するホームコントローラとを備えたホームコントロールシステムが提案されている。
【０００３】
また、戸内の在居者に応じて動的に各種機器を動的に制御することができるホームコントロールシステムも提案されている。例えば、特許文献２では、非接触ＩＣカード型の鍵と指紋検出部を組み合わせ、住戸の各居住者の身体的特徴に基づいて該居住者の入退出状況を管理することにより、住戸内の在居者に応じて動的かつリアルタイムに住戸内の各種機器を制御するホームコントロールシステムが提案されている。
【０００４】
ところで、近年、単一のリモートコントローラ（リモコン）によって複数の家電製品の遠隔操作を行う家電操作システムが提案されている。例えば、特許文献３には、ネットワークを介してサイトからリモコンコードを取得し、リモコンコードに対応したコマンドを送信する端末機器と、端末機器からコマンドを受信し、該コマンドを電気機器へ送信して所望の電気機器を遠隔操作するリモコンステーションと、を備えるリモートコントロールシステムが提案されている。
【先行技術文献】
【特許文献】
【０００５】
【特許文献１】特開２００２−２５９６７８号公報
【特許文献２】特開２００６−１２８８２４号公報
【特許文献３】特開２００７−１１６４８４号公報
【発明の開示】
【発明が解決しようとする課題】
【０００６】
従来のホームコントロールシステムは、各制御対象機器とホームコントローラを電気的に接続したネットワークを構築する必要があり、システム導入のコストが高いという問題があった。
【０００７】
また、制御対象機器の好ましい制御条件は、季節の移り変わりと共に日々変更される。しかしながら、従来の従来のホームコントロールシステムは、制御条件を変更するための操作が複雑であり、一般家庭において老人や子供が条件変更設定を行うことは困難な状況にあった。
【０００８】
そこで、本発明は、上記課題を解決することのできる電気機器のコントローラおよびホームコントロールシステムを提供することを目的とする。
【課題を解決するための手段】
【０００９】
［１］リモコンから出力される操作信号を読み取る操作信号読取装置と、ＩＣリーダ／ライタと、電気機器に操作信号を送信する操作信号送信装置と、記憶装置を有する処理部と、操作部とを備え、室内に設置されたリモコンで制御される電気機器をＩＣチップにより動作制御するコントローラであって、ＩＣチップの書き込み可能領域に格納された電気機器の制御パラメータをＩＣリーダ／ライタで読み書き可能であること、および、ＩＣチップから読み込んだ制御パラメータに基づき操作信号送信装置より各電気機器に操作信号を送信することを特徴とする電気機器のコントローラ。
［２］ＩＣチップの書き込み可能領域または処理部の記憶装置に入退室ステータスを記憶する手段を有し、ＩＣリーダ／ライタがＩＣチップ記憶情報を読み取った際に、前記入退室ステータスが入室である場合は、ＩＣチップに記憶されたパラメータに基づき、操作信号送信装置より各電気機器に動作開始信号を送信し、前記入退室ステータスが退室である場合は、ＩＣチップの書き込み可能領域に最新の制御パラメータを書き込むと共に、操作信号送信装置より各電気機器に動作停止信号を送信することを特徴とする［１］の電気機器のコントローラ。
［３］前記リモコンが、赤外線リモコンであることを特徴とする［１］または［２］のコントローラ。
［４］前記操作信号送信装置をコントローラ本体から離脱し、ユニバーサルリモコンとして使用可能であることを特徴とする［１］ないし［３］のいずれかのコントローラ。
［５］前記コントローラが、一定時間経過後に各電気機器に操作信号を送信するタイマー手段を備えることを特徴とする［１］ないし［４］のいずれかのコントローラ。
【００１０】
［６］［１］ないし［５］のいずれかのコントローラと、書き込み可能領域を有する複数のＩＣチップと、を備え、前記ＩＣリーダ／ライタによりＩＣチップの書き込み可能領域に格納された電気機器の制御パラメータを書き換えることを特徴とするホームコントロールシステム。
［７］さらに、対応する電気機器のパラメータ情報を取得する操作信号取得部および無線送信部を有するインターフェース機器を複数備え、前記コントローラは、インターフェース機器と通信可能な無線通信装置を備え、インターフェース機器の操作信号取得部が取得したパラメータ情報を処理部の記憶装置に記憶することを特徴とする［６］のホームコントロールシステム。
［８］前記インターフェース機器の操作信号取得部が、電気機器の操作信号を受信する赤外線受信器を含んで構成され、該赤外線受信器が操作信号受信した際に、無線送信部を介して受信した操作信号を前記コントローラに送信することを特徴とする［７］のホームコントロールシステム。
【発明の効果】
【００１１】
本発明によれば、抽象的なインターフェースを有し、操作性が簡便な電気機器のコントローラおよびホームコントロールシステムを提供することが可能となる。
また、本発明は、汎用的なＩＣチップを利用することができ、しかも自律型のコントローラを用いるものであるから、システム構築コストも廉価である。
【図面の簡単な説明】
【００１２】
【図１】本発明の一実施形態に係るホームコントロールシステムの全体構成図である。
【図２】本発明の一実施形態に係る電気機器のコントローラの構成図である。
【発明を実施するための形態】
【００１３】
本発明のホームコントロールシステムは、書き込み可能領域を有するＩＣチップにユーザ固有のパラメータを記憶することにより、入退室時に必要な電気機器の個別設定作業からユーザを解放することを可能とするものである。以下では、本発明の一実施形態に係る自律型ホームコントロールシステムを、図面を参照しながら説明する。
【００１４】
《システム構成》
このホームコントロールシステムは、図１に示すように、ＩＣチップ格納部材１と、各部屋に設置されるコントローラ１０と、テレビ、エアコンなどの電気機器２１と、インターフェース機器２２を主要な構成要素とする。なお、インターフェース機器２２は後述するように必須の構成ではない。
【００１５】
ＩＣチップ格納部材１は、Ｆｅｌｉｃａ（登録商標）をはじめとする非接触型ＩＣカードである。ＩＣチップ格納部材１に内蔵されたＩＣチップ内部にはメモリ（例えばＲＣ−Ｓ８６０なら１６バイトｘ１５４ブロック＝２，４６４バイト）が内蔵されており、ユーザ自身が利用することが可能な領域（書き込み可能領域）が確保されている。本システムは、書き込み可能領域を有する汎用的なＩＣチップ（例えば、定期券情報格納ＩＣカード）にユーザ固有のパラメータを記憶することができる。ＩＣチップ格納部材１はカード型のものに限定されず、例えば、携帯電話用のＩＣチップを用いることもできる。
【００１６】
１人のユーザが複数のＩＣチップを利用することも可能である。この場合ＩＣチップ毎に格納される制御パラメータは異なるものとなるため、パソコン等に専用ソフトをインストールすることで制御パラメータを書き換え可能としてもよい。
また、パソコン等で制御パラメータを予め書き込んだＩＣチップ格納部材１を配布してもよい。例えば、共有スペースに設置された電気機器（パソコン含む）を複数のユーザが共用する場合に、ユーザ毎に異なる制御パラメータを書き込み、特定条件下で機器を開放することが想定される。
【００１７】
コントローラ１０は、コントローラの配置された室内にある一台以上の電気機器を操作するための機器であり、図２に示すように、処理部１１と、操作部１２と、入力部１３と、連系部１４を主要な構成要素とする。コントローラ１０は、閉じた空間（部屋）単位で設置され、各コントローラは原則として自律的に動作する。
【００１８】
処理部１１は、演算装置１１１、オンチップデバイス１１２、電源１１３および記憶装置１１４を備える。
演算装置１１１は、マイクロコンピュータやＣＰＵで構成される。オンチップデバイス１１２は、タイマー、制御・通信Ｉ／Ｏ、内蔵メモリ等の要素である。タイマーにより電気機器２１の電源をＯＮまたはＯＦＦとする時間を設定可能としてもよい。電源１１３は、市販の一次・二次電池または商用電源に接続される電源ユニットである。記憶装置１１４は、制御情報等を記憶するためのハードディスクやＳＳＤ等の装置であり、用途に応じてｍｉｃｒｏＳＤ等の外部記憶装置を設ける仕様としてもよい。但し、本発明においては、ユーザ固有の制御パラメータ（例えば、甲は室温２８度で照明弱、乙は室温２７度で照明強）をＩＣチップ格納部材１に保有させるため、記憶装置１１４は容量の小さいものでよく、オンチップデバイス１１２の内蔵メモリを記憶装置に代用させることも可能である。
【００１９】
操作部１２は、入力装置１２１および表示装置１２２を備える。
入力装置１２１は、コントローラ１０に指令を入力するためのボタン等である。表示装置１２２は、コントローラ１０の設定情報等を表示するためのＬＣＤパネル等である。表示装置１２２にタッチパネルディスプレイを用いる場合には、別途入力装置１２１を設けなくともよい。
【００２０】
入力部１３は、操作信号読取装置１３１およびＩＣリーダ／ライタ１３２を備える。
操作信号読取装置１３１は、リモコン２３のＩＤを含む操作信号（制御信号）を読み取るためのフォトダイオード等の受光素子を含む装置（赤外線検出器）である。操作信号の出力には、一般に赤外発光ダイオード（赤外ＬＥＤ）が使用されており、例えば、国内の家電製品で広く採用される家電製品協会が規定したフォーマットのキャリア周波数は３３〜４０ｋＨｚである。操作信号読取装置１３１で読み取った信号は処理部１１へ送信され、制御情報の解析が行われる。
ＩＣリーダ／ライタ１３２は、非接触ＩＣカードのリーダ／ライタであり、ＩＣチップ格納部材１に記憶されたユーザ関連情報を読み取り、処理部１１に送信すると共に、ＩＣチップに格納されたパラメータ等の情報を書き換える。
【００２１】
連系部１４は、操作信号送信装置１４１および無線通信装置１４２を備える。
操作信号送信装置１４１は、電気機器２１へ操作信号（制御信号）を送信する赤外線発光器である。操作信号送信装置１４１から電気機器２１へ制御情報を送信することにより、専用リモコンを使わずに電気機器２１を操作することができる。
無線通信装置１４２は、主としてインターフェース機器２２と無線による情報連係を可能とするためのものであり、マイクロコンピュータと無線モジュールを備える。無線モジュールは、例えば、赤外発光器、可視光発光器、無線ＬＡＮモジュール、Ｂｌｕｅｔｏｏｔｈ（登録商標）モジュールである。
【００２２】
無線通信装置１４２により電気機器２１へ制御信号を送信する仕様としてもよく、この場合、操作信号送信装置１４１は不要となる。また、無線通信装置１４２を用いて、複数のコントローラ１０をネットワークに接続し、コンピュータから各コントローラ１０を遠隔管理できるようにしてもよい。この場合、各リモコン２３の操作信号等を、ネットワークを介して取得する機能を持たせてもよい。
また、連系部１４を本体から離脱可能とし、ユニバーサルリモコン（複数種類の電気機器のリモコンを操作できるリモコン）としてもよい。この場合、連系部１４も入力装置、マイクロコンピュータ、オンチップデバイス、電源等を備える必要がある。この際、入力装置１２１のボタンと各電子機機器を紐付けることにより、個別の電子機器を操作可能としてもよい。
【００２３】
電気機器２１は、テレビ、ＤＶＤ等のメディアプレイヤー、ケーブルテレビチューナー、エアコン、加湿・除湿器、空気清浄機、ヒーター、扇風機、照明器具、音楽プレイヤー、通信カラオケ機器などの機器であって、赤外線リモコンにより遠隔操作が可能な機器である。各電気機器２１は、対応するインターフェース機器２２を備えている。
インターフェース機器２２は、リモコン２３による操作が行われた際に、リモコン２３により変更されたパラメータ情報を無線通信装置１４２へ送信することで、コントローラ１０が電気機器２１の最新のパラメータ情報を把握することを可能とするものである。インターフェース機器２２は、無線送信部と操作信号取得部を有し、操作信号取得部は、例えば、操作し信号出力装置１４１からの操作信号を受信する赤外線受信器、或いは、電気機器２１の制御部からパラメータ情報を読み取るマイクロコンピュータにより構成される。前者の場合、電気機器２１への組み込みは不要であり、電気機器２１が備える赤外線受信器の側に設置し、電気機器２１と共に操作信号を受信できるようにすることで足りる。
【００２４】
リモコン２３は、各電気機器２１に標準で附属される専用リモコン（赤外線リモコン）である。本システムでは、コントローラ１０とリモコン２３は排他的関係になく、リモコン２３により電気機器を操作することも可能である。
他方で、電気機器２１の操作をコントローラ１０によってのみ可能とする構成としてもよい。この場合、コントローラ１０が電気機器２１のパラメータ情報を常時把握できるので、インターフェース機器２２の設置は不要となる。
【００２５】
《使用方法》
１．事前準備
コントローラ１０に、電気機器２１の操作信号（制御信号）を登録する必要がある。操作信号の登録は、操作信号読取装置１３１に、操作対象となる電気機器の専用リモコンの操作信号を順次登録することにより行う。この登録作業は、最初に１度行えばよく、以降は不要である。新たな電気機器２１が搬入された場合にも操作信号の登録作業が必要である。登録する電気機器のメーカーの異同は問わない。各リモコン２３の操作信号を、ネットワークを介して取得する機能を持たせた場合には、パソコン等の機器から操作信号の登録を行う。
【００２６】
２．入室時
ユーザ２は入室時にＩＣチップ格納部材１をＩＣリーダ／ライタ１３２にかざし、ＩＣチップ記憶情報を読み取らせる。演算装置１１１は、入退室ステータスが「退室」となっている場合には、入退室ステータスを「入室」に変更し、ＩＣチップに記憶された最終パラメータ（初回入室時はデフォルトパラメータ）に基づき、各電気機器２１に動作開始信号を送信する。これにより、ユーザ２は各電気機器２１を個別に操作することなく、（他のユーザが条件を変更した場合であっても）前回利用時と同じ条件で電気機器２１を稼動させることが可能である。なお、入退室ステータスはＩＣチップで管理してもよいし、チップＩＤと関連付けて処理部１１の記憶装置１１４で管理してもよい（例えば、チップＩＤの読み込みが１回目であるときは「入室」とし、２回目であるときは「退室」とする。）。
【００２７】
３．退室時
ユーザ２は退室時にＩＣチップ格納部材１をＩＣリーダ／ライタ１３２にかざし、ＩＣチップ記憶情報を読み取らせる。演算装置１１１は、入退室ステータスが「入室」となっている場合には、入退室ステータスを「退室」に変更し、カードＩＤに紐付けられた最終パラメータをＩＣチップに書き込む。そして、全ての電気機器２１に動作停止信号を送信し、操作信号待機状態（稼動時に電源ボタンを押したのと同じ状態）とする。これにより、ユーザ２は、各リモコン２３の電源ボタンを押す作業が不要となる。
タイマーによりＩＣカードをかざしてから一定時間経過後に電源をＯＦＦとするよう設定することもできる。照明が即座に消えると困る場合などに有用である。
【００２８】
４．具体例
図１中、電気機器２１ａがテレビ、電気機器２１ｂがエアコン、電気機器２１ｃが照明器具、電気機器２１ｄがエアコン、電気機器２１ｅが照明器具、電気機器２１ｆが音楽プレイヤーであるとする。
ユーザ２ａが部屋Ａに入室し、ＩＣチップ格納部材１ａをコントローラ１０ａ（ＩＣリーダ／ライタ１３２）にかざすと、ＩＣチップ記憶情報が読み取られ、入退室ステータスを「退室」から「入室」に変更すると共に、カードＩＤに紐付けられた最終パラメータ（テレビ２１ａ：チャンネル＝１ｃｈ，ボリューム＝２０、エアコン２１ｂ：モード＝冷房，温度＝２８℃）を抽出する。続いて、最終パラメータに基づきコントローラ１０ａ（操作信号送信装置１４１）から操作信号がテレビ２１ａ、エアコン２１ｂへ送信され、これら機器が稼動される。このように、ユーザ２はＩＣチップ格納部材１をコントローラ１０ａ（ＩＣリーダ／ライタ１３２）にかざすだけで、部屋Ａの環境を前回利用時と同じ条件に復元することが可能である。
【００２９】
ユーザ２ａが在室中に変更したパラメータは、コントローラ１０に即座に或いは所定のタイミングで把握される。コントローラ１０により電気機器２１の操作が行われた場合には、コントローラ１０は即座にパラメータの変更を把握し、記憶装置１１４に記憶する。リモコン２３により電気機器２１の操作が行われた場合には、インターフェース機器２２からパラメータの変更情報を受信した際、或いは、ユーザ２ａが退室時にＩＣチップ格納部材１ａをコントローラ１０ａにかざした際に、ＩＣチップから最終パラメータを取得し、記憶装置１１４に記憶する。
【００３０】
ユーザ２ａが部屋Ａを退室する際、ＩＣチップ格納部材１ａをコントローラ１０ａ（ＩＣリーダ／ライタ１３２）にかざすと、ＩＣチップ記憶情報が読み取られ、当該入退室ステータスを「入室」から「退室」に変更され、最終パラメータがＩＣチップに記録される。この際、インターフェース機器２２にパラメータ送信指令を送信し、最終パラメータを取得した後、ＩＣチップに最終パラメータを反映させるようにしてもよい。
【００３１】
ユーザ２ａが部屋Ａの退室後、ユーザ２ｂが部屋Ａに入室し、ＩＣチップ格納部材１ｂをコントローラ１０ａ（ＩＣリーダ／ライタ１３２）にかざすと、ＩＣチップ記憶情報が読み取られ、当該入退室ステータスを「退室」から「入室」に変更すると共に、カードＩＤに紐付けられた最終パラメータテレビ２１ａ：チャンネル＝８ｃｈ，ボリューム＝２５、エアコン２１ｂ：モード＝冷房，温度＝２６℃）を抽出し、最終パラメータに基づきコントローラ１０ａ（操作信号送信装置１４１）から操作信号がテレビ２１ａ、エアコン２１ｂへ送信され、これら機器が稼動される。
【００３２】
ユーザ２ａが部屋Ｂに入室する際も同様である。ユーザ２ａが部屋Ｂに入室し、ＩＣチップ格納部材１ａをコントローラ１０ａ（ＩＣリーダ／ライタ１３２）にかざすと、ＩＣチップ記憶情報が読み取られ、入退室ステータスを「退室」から「入室」に変更すると共に、カードＩＤに紐付けられた最終パラメータ（照明器具２１ｃ：照度＝強、エアコン２１ｄ：モード＝冷房，温度＝２８℃）を抽出し、最終パラメータに基づきコントローラ１０ｂ（操作信号送信装置１４１）から操作信号が照明器具２１ｃ、エアコン２１ｄへ送信され、これら機器が稼動される。
【００３３】
ユーザ２ａが部屋Ｂに在室中（または退室時にＩＣチップ格納部材１ａをかざすのを忘れた場合）、ユーザ２ｂが部屋Ｂに入室し、ＩＣチップ格納部材１ｂをコントローラ１０ａ（ＩＣリーダ／ライタ１３２）にかざすと、ユーザ２ｂの最終パラメータに基づきコントローラ１０ｂ（操作信号送信装置１４１）から操作信号が照明器具２１ｃ、エアコン２１ｄへ送信される。
【００３４】
ユーザ２ａ、２ｂが部屋Ｃに入室する際も同様であり、ＩＣチップに記憶された最終パラメータ（照明器具２１ｅ：照度＝弱、音楽プレイヤー２１ｆ：曲名＝ＡＢＣ，モード＝重低音強調，ボリューム＝１５）に基づきコントローラ１０ｃ（操作信号送信装置１４１）から操作信号が照明器具２１ｅ、音楽プレイヤー２１ｆへ送信され、これら機器が稼動される。
【００３５】
以上に説明した本発明によれば、閉じた空間（部屋）単位で自律的に動作するホームコントロールシステムを構築することが可能である。
また、ユーザは、専用のＩＣチップを準備する必要はなく、別用途のＩＣカード（書き込み可能領域を有するもの）を本システムで兼用することができる。
【符号の説明】
【００３６】
１  ＩＣチップ格納部材（ＩＣカード）
２  ユーザ
１０  コントローラ
１１  処理部
１２  操作部
１３  入力部
１４  連系部
２１  電気機器
２２  インターフェース機器
２３  リモコン
１１１  演算装置
１１２  オンチップデバイス
１１３  記憶装置
１１４  電源
１２１  入力装置
１２２  表示装置
１３１  操作信号読取装置
１３２  ＩＣリーダ／ライタ
１４１  操作信号送信装置
１４２  無線通信装置
【図１】
2013115810.tif 000003
【図２】
2013115810.tif 000004